(57)【要約】      （修正有）【課題】組立てが容易、かつ、実用的で安全性が高いフェンス構造を提供する。【解決手段】フェンス構造は、フェンス本体１０を備える。フェンス本体１０は、中空円筒状であり、上端面に形成された開口部１１と、開口部１１からフェンス本体１０の内部中心に向かって徐々に縮小するように形成された漏斗部１２とを有する。漏斗部１２の底端部には、槽口１２１が形成される。フェンス本体１０の両外側には、互いに対応した１組の組合部１３及び１組の貼合部１４が形成される。組合部１３は、内凹外凸弧面を呈する。貼合部１４は、組合部１３に対応した外凸弧面となっている。組合部１３及び貼合部１４の底側には、逆Ｕ字状の連通開口１３１，１４１が形成される。組合部１３の連通開口１３１，１４１の上端縁には上向きの係合部１３２が設けられる。フェンス本体１０の他方の外側底部には、当接板部１５が延設されている。【選択図】図３
0003190759.tif 000002
【実用新案登録請求の範囲】
【請求項１】
フェンス本体を備えたフェンス構造であって、
上記フェンス本体は、中空円筒状であり、上端面に形成された開口部と、中心に向かって徐々に縮小するように形成された漏斗部と、を有し、
上記漏斗部の底端部には、槽口が形成され、
上記フェンス本体の両外側には、互いに対応した１組の組合部及び１組の貼合部が形成され、
上記組合部は、外凸弧面を呈し、貼合部には、組合部に対応した内凹弧面が形成され、組合部及び貼合部の底側には、逆Ｕ字状の連通開口が形成され、組合部の連通開口の上端縁は、係合部に向かって形成された切欠きを有し、フェンス本体の他方の外側底部には、当接板部が延設されていることを特徴とするフェンス構造。
【請求項２】
上記フェンス本体は、固定ピンを有し、
上記固定ピンは、上から下方向にかけて漏斗部の槽口に挿通されて土壌中に挿入されるとともに、槽口より大きな頭端を有することを特徴とする請求項１に記載のフェンス構造。
【請求項３】
上記固定ピンの頭端には、開口を有するタブが形成されていることを特徴とする請求項２に記載のフェンス構造。
【考案の詳細な説明】
【技術分野】
【０００１】
本考案は、フェンス構造に関し、特に、組立てが容易、かつ、実用的で安全性が高いフェンス構造に関する。
【背景技術】
【０００２】
庭園式家屋又は屋外に花壇・盆栽を含む景観をつくる際、道と花壇とを分けるためにフェンス構造を設置することが一般的である。従来よく見かけるフェンス構造は、複数の縦向き板に、横向きの連結板を組み合わせて構成され、縦向き板は地面、土壌上に釘で固定され、縦向き板の頂端が尖った形状を有する。従来のフェンス構造は、コストを減らすために、木材を使用せずにプラスチック射出成形により製作されることが一般的であった。
【０００３】
しかし、従来技術には以下（１）及び（２）の欠点があった。
（１）フェンス構造は、プラスチック射出成形されて縦向き板の頂端が鋭い形状を有するため非常に危険であり、不用意に踏んでしまうと怪我をする虞があり、特に、屋外で遊ぶ子供たちが不注意から踏んづけたり衝突すると、フェンス構造の一部が地面に対して垂直となったり、フェンスが緩んで不安定となったりすることがあった。特に、フェンスが断裂すると、断裂箇所により人が怪我をする虞があり、安全性が低く実用的でなかった。
（２）従来のフェンス構造は、道と花壇とに分けるためだけに使用され、その他の機能を有さないため、実用的でなく消費者の購買意欲を高めることはできなかった。
【考案の概要】
【考案が解決しようとする課題】
【０００４】
本考案の目的は、複数のフェンス本体を組み合わせて形成し、フェンス構造を簡便に組み合わせ、円筒状のフェンス本体と、一側に延伸された当接板部とにより地面を安定的に覆うようにし、間違えて踏んで怪我してしまうことを防ぎ、フェンス本体の固定ピンを上端の開口部に挿通させ、漏斗部の槽口に設置して土壌中に挿入してフェンス本体を位置決めし、組立て強度を高めるフェンス構造を提供することにある。
本考案のもう一つの目的は、複数のフェンス本体を組み合わせてフェンス構造を形成する際、複数のフェンス本体の組合部を貼合部と係合させると連通開口が連通し、灌漑、散水で使用する水管が連通開口間に挿通されると、水管Ａがフェンス構造により隠され、水管が足に巻き付いたり引っ掛かったりして人が倒れて怪我することを防ぎ、安全性が高くて実用的なフェンス構造を提供することにある。
【図面の簡単な説明】
【０００５】
【図１】本考案の一実施形態に係るフェンス構造を示す斜視図である。
【図２】本考案の一実施形態に係るフェンス構造を示す断面図である。
【図３】本考案の一実施形態に係るフェンス構造を示す分解斜視図である。
【図４】本考案の一実施形態に係るフェンス構造の組合せを示す断面図である。
【図５】本考案の一実施形態に係るフェンス構造を組合せて、水管を延ばして隠した状態を示す断面図である。
【図６】本考案の一実施形態に係るフェンス構造を組合せた状態を示す平面図である。
【考案を実施するための形態】
【０００６】
図１〜図３を参照する。図１〜図３に示すように、本考案の一実施形態に係るフェンス構造は、フェンス本体１０を含む。フェンス本体１０は、中空円筒状であり、上端面に形成された開口部１１と、中心に向かって徐々に縮小するように形成された漏斗部１２と、を有する。漏斗部１２の底端部には、槽口１２１が形成されている。フェンス本体１０の両外側には、互いに対応する１組の組合部１３及び１組の貼合部１４が形成されている。組合部１３は、外凸弧面を呈する。貼合部１４には、組合部１３に対応した内凹弧面が形成されている。組合部１３及び貼合部１４の底側には、逆Ｕ字状の連通開口１３１，１４１が形成されている。組合部１３の連通開口１３１の上端縁には、係合部１３２に向かって切欠きが形成され、フェンス本体１０の他方の外側底部には、当接板部１５が延設され、上述の構成により各フェンス本体１０を互いに組み合わせて連結させると、フェンス構造が形成される。
【０００７】
図３に図４を併せて参照する。図３及び図４に示すように、これら複数のフェンス本体１０は、組合部１３と貼合部１４とが順次組み合わされて形成され、係合部１３２に貼合部１４の連通開口１４１の上端縁が係合され、多数のフェンス本体１０が互いに連結され、一側に延伸された当接板部１５を利用することにより、フェンス本体１０は草地又は土地上を安定的に覆うことができる。フェンス本体１０は、固定ピン１６を有する。固定ピン１６は、上から下方向にかけて漏斗部１２の槽口１２１に挿通されて土壌中に挿入される。固定ピン１６は、槽口より大きな頭端１６１を有し、フェンス本体１０は、固定ピン１６により螺着され、フェンス本体１０が頭端１６１により外れることを防ぎ、固定ピン１６の頭端１６１には、開口を有するタブが形成されているため、施工者は小さな力で簡便に固定ピン１６をフェンス本体１０から引き出すことができる。そのため、本考案のフェンス構造は、容易に組立てたり分解したりすることができる。
【０００８】
図５及び図６を参照する。図５及び図６に示すように、フェンス本体１０は、組合部１３と貼合部１４とを組み合わせると、連通開口１３１，１４１が連通し、灌漑、散水に使用する水管Ａがフェンス構造内で延びて隠されるため、露出された水管が足に巻き付いたり引っ掛かったりして倒れることを防いで安全性を向上させる。水管Ａの端部は、漏斗部１２の槽口１２１から引っ張り出され、給水端により屋外の壁面に出水蛇口を取り付けたり、出水端を槽口１２１から引っ張り出して水管を取り付けて使用したりすることができる。
【０００９】
上述したことから分かるように、本考案のフェンス構造は、以下（１）及び（２）の効果を有する。
（１）複数のフェンス本体１０を組み合わせて形成し、フェンス構造を簡便に組み合わせ、円筒状のフェンス本体１０と、一側に延伸された当接板部１５とにより地面を安定的に覆うことにより、間違えて踏んだ者が怪我をしてしまうことを防ぎ、フェンス本体１０の固定ピン１６を上端の開口部１１に挿通し、漏斗部１２の槽口１２１に設置して土壌中に挿入してフェンス本体１０を位置決めし、フェンス構造の組立て強度を高める。
（２）複数のフェンス本体１０を組み合わせてフェンス構造を形成する際、複数のフェンス本体１０の組合部１３を貼合部１４と係合させると連通開口１３１，１４１が連通し、灌漑、散水で使用する水管Ａが連通開口１３１，１４１間に挿通されて水管Ａがフェンス構造により隠され、水管が足に巻き付いたり引っ掛かったりして倒れることを防ぐことができるため、安全性が高くて実用的である。
【符号の説明】
【００１０】
１０    フェンス本体
１１    開口部
１２    漏斗部
１３    組合部
１４    貼合部
１５    当接板部
１６    固定ピン
１２１  槽口
１３１  連通開口
１３２  係合部
１４１  連通開口
１６１  頭端
Ａ      水管
【図１】
0003190759.tif 000003
【図２】
0003190759.tif 000004
【図３】
0003190759.tif 000005
【図４】
0003190759.tif 000006
【図５】
0003190759.tif 000007
【図６】
0003190759.tif 000008
【手続補正書】
【提出日】平成26年3月18日(2014.3.18)
【手続補正１】
【補正対象書類名】実用新案登録請求の範囲
【補正対象項目名】請求項１
【補正方法】変更
【補正の内容】
【請求項１】
フェンス本体を備えたフェンス構造であって、
上記フェンス本体は、中空円筒状であり、上端面に形成された開口部と、該開口部からフェンス本体の内部中心に向かって徐々に縮小するように形成された漏斗部と、を有し、
上記漏斗部の底端部には、槽口が形成され、
上記フェンス本体の両外側には、互いに対応した１組の組合部及び１組の貼合部が形成され、
上記組合部は内凹外凸弧面を呈し、上記貼合部は、前記組合部に対応した外凸弧面となっており、組合部及び貼合部の底側には、逆Ｕ字状の連通開口が形成され、組合部の連通開口の上端縁には上向きの係合部が設けられ、フェンス本体の他方の外側底部には、当接板部が延設されていることを特徴とするフェンス構造。
【手続補正２】
【補正対象書類名】明細書
【補正対象項目名】０００６
【補正方法】変更
【補正の内容】
【０００６】
図１〜図３を参照する。図１〜図３に示すように、本考案の一実施形態に係るフェンス構造は、フェンス本体１０を含む。フェンス本体１０は、中空円筒状であり、上端面に形成された開口部１１と、中心に向かって徐々に縮小するように形成された漏斗部１２と、を有する。漏斗部１２の底端部には、槽口１２１が形成されている。フェンス本体１０の両外側には、互いに対応する１組の組合部１３及び１組の貼合部１４が形成されている。組合部１３は、内凹弧面を呈する。貼合部１４は、組合部１３に対応した外凸弧面となっている。組合部１３及び貼合部１４の底側には、逆Ｕ字状の連通開口１３１，１４１が形成されている。組合部１３の連通開口１３１の上端縁には、上向きの係合部１３２が設けられ、フェンス本体１０の他方の外側底部には、当接板部１５が延設され、上述の構成により各フェンス本体１０を互いに組み合わせて連結させると、フェンス構造が形成される。